(57)【要約】【課題】タイヤの点検作業効率を改善し、かつ段差摩耗や騒音問題を招くことなくトレッド面の摩耗進行状況を判別することが可能な空気入りタイヤを提供する。【解決手段】トレッド部１のサイド面１１に、トレッド面９の摩耗進行状況を判別可能な摩耗判別手段１２が設けられている。【選択図】図１
2006062584.tif 000002
【特許請求の範囲】
【請求項１】
トレッド部のサイド面にトレッド面の摩耗進行状況を判別可能な摩耗判別手段を設けた空気入りタイヤ。
【請求項２】
前記摩耗判別手段が、トレッド面の摩耗進行位置を示す段差部を前記サイド面に有する請求項１に記載の空気入りタイヤ。
【請求項３】
前記段差部をタイヤ周方向に沿って連続的に、或いは断続的に設けた請求項２に記載の空気入りタイヤ。
【請求項４】
前記段差部は、タイヤ径方向に所定の幅を有し、幅方向の両端がそれぞれトレッド面の異なる摩耗進行位置を示す請求項２または３に記載の空気入りタイヤ。
【請求項５】
前記段差部をタイヤ径方向に複数設けた請求項２，３または４に記載の空気入りタイヤ。
【請求項６】
前記判別手段が、トレッド面の摩耗進行量に対応する量を表示する表示部を前記サイド面に有する請求項１乃至５のいずれか１項に記載の空気入りタイヤ。
【請求項７】
前記トレッド面が溝のないスリック面である請求項１乃至６のいずれか１項に記載の空気入りタイヤ。
【請求項８】
前記空気入りタイヤが産業車両用タイヤである請求項１乃至７のいずれか１項に記載の空気入りタイヤ。
【発明の詳細な説明】
【技術分野】
【０００１】
本発明は、空気入りタイヤに関し、更に詳しくは、タイヤの点検作業効率を改善し、かつ段差摩耗や騒音問題を招くことなくトレッド面の摩耗進行状況を判別することができる空気入りタイヤに関する。
【背景技術】
【０００２】
例えば、港湾施設や鉱山などで使用される産業車両に装着される空気入りタイヤは、耐摩耗性や耐カット性を重視するため、トレッド面を溝のないスリック面に形成したスリックタイヤが使用されることが多い。このようなスリックタイヤでは、トレッド面の摩耗の進行状況と摩耗限度を使用者が知る手段として、トレッド面に摩耗限度までの深さを有する切り込みを配置することが一般的に行われている。
【０００３】
しかしながら、このようにトレッド面に摩耗進行状況を知るための切り込みを設けたタイヤは、トレッド面の切り込み周辺に段差摩耗が発生し、特に平坦な舗装路面を走行するものでは、その段差摩耗により車両振動が発生するという問題があった。
【０００４】
そこで、上記対策として、切り込みに代えてトレッド面に摩耗限度を示すディンプルを配置することが提案されている（例えば、特許文献１参照）。しかしながら、ディンプルが位置するトレッド面領域が路面に接地した際にポンピング音が発生し、騒音問題が生じる。
【０００５】
また、両者は、点検作業時に、切り込みやディンプルが路面に接地した位置にあったり、或いはホイールカバーに隠れた位置などにあったりすると、点検作業者がそれらを見える位置となるように車両を動かしたりしなければならず、点検作業効率が悪いという問題がある。
【特許文献１】特開２０００−１７７３２２号公報
【発明の開示】
【発明が解決しようとする課題】
【０００６】
本発明は、タイヤの点検作業効率を改善し、かつ段差摩耗や騒音問題を招くことなくトレッド面の摩耗進行状況を判別することが可能な空気入りタイヤを提供することにある。
【課題を解決するための手段】
【０００７】
上記目的を達成する本発明の空気入りタイヤは、トレッド部のサイド面にトレッド面の摩耗進行状況を判別可能な摩耗判別手段を設けたことを特徴とする。
【発明の効果】
【０００８】
上述した本発明によれば、トレッド部のサイド面に摩耗判別手段を設けたので、摩耗判別手段をホイールカバなどに隠れることなく常に見える状態にすることができる。そのため、タイヤの点検作業時に作業者が摩耗状況を容易に判別することができ、タイヤの点検作業効率の向上が可能になる。
【０００９】
また、トレッド面に摩耗判別手段がないため、摩耗判別手段に起因する段差摩耗や騒音問題が生じることがない。
【発明を実施するための最良の形態】
【００１０】
以下、本発明の実施の形態について添付の図面を参照しながら詳細に説明する。
【００１１】
図１は本発明の空気入りタイヤの一実施形態を示し、１はトレッド部、２はサイドウォール部、３はビード部、ＣＬはタイヤセンターラインである。
【００１２】
左右のビード部３間にカーカス層４が延設され、その両端部４ａがビード部３に埋設したビードコア５の周りにタイヤ内側から外側に折り返されている。トレッド部１のカーカス層４の外周側には、複数のベルト層６が配置されている。
【００１３】
トレッド部１のベルト層６の外周側にはアンダートレッドゴム層７が配設され、その外周側にキャップトレッドゴム層８が設けられている。キャップトレッドゴム層８の外周面が、路面に接地するトレッド面９になっている。このトレッド面９は溝がないスリック面に形成されている。１０はビード部３に配置したチェーファー層である。
【００１４】
トレッド部１の両サイド面１１には、トレッド面９の摩耗進行状況を判別可能な摩耗判別手段１２が設けられている。この摩耗判別手段１２は、トレッド面９の摩耗進行位置を示す複数（図では２つを例示）の凸部からなる段差部１３，１４をサイド面１１に有している。
【００１５】
タイヤ径方向に所定の間隔で離間した段差部１３，１４の内の一方（タイヤ径方向外側）の段差部１３は、キャップトレッドゴム層８のサイド面８ａに形成されている。もう一方（タイヤ径方向内側）の段差部１４は、アンダートレッドゴム層７のサイド面７ａに設けられ、両段差部１３，１４はタイヤ周方向に沿って連続的に延設された環状の凸部に形成されている。
【００１６】
各段差部１３，１４は、タイヤ径方向に所定の幅を有しており、一方の段差部１３の幅方向の両端１３ａ，１３ｂがそれぞれトレッド面９の異なる摩耗進行位置を示すようにしている。他方の段差部１４は、タイヤ径方向外側に位置する一端１４ａがトレッド面９の摩耗進行位置を示している。
【００１７】
サイド面１１を突出させた段差部１３，１４の表面１３ｃ，１４ｃには、図２に示すように、トレッド面９の摩耗進行量に対応する量を表示する表示部１５，１６が設けられている。
【００１８】
表示部１５は、段差部１３のタイヤ径方向外側に位置する一端１３ａが、トレッド面９の摩耗が５０％進行した位置であることを示す「０．５  ＷＥＡＲ」という数字とアルファベットからなるマーク１５Ａと、タイヤ径方向内側に位置する他端１３ｂが、トレッド面９の摩耗が８０％進行した位置であることを示す「０．８  ＷＥＡＲ」という数字とアルファベットからなるマーク１５Ｂとから構成されている。
【００１９】
表示部１６は、段差部１４のタイヤ径方向外側に位置する一端１４ａが、トレッド面９の摩耗が１００％進行した位置であることを示す「１．０  ＷＥＡＲ」という数字とアルファベットからなるマーク１６Ａから構成されている。これらのマーク１５Ａ，１５Ｂ，１６Ａが、段差部１３，１４の表面１３ｃ，１４ｃに刻印されている。
【００２０】
上述した本発明によれば、トレッド部１のサイド面１１にトレッド面９の摩耗進行状況を判別可能な摩耗判別手段１２を設け、摩耗判別手段１２をホイールカバなどに隠れることなく常に見えるようにしたので、タイヤの点検作業時に作業者が容易に摩耗進行状況を判別することができる。従って、タイヤの点検作業効率の改善が可能になる。
【００２１】
また、トレッド面９に摩耗判別手段１２がないため、段差摩耗や騒音問題の発生を回避することができ、段差摩耗や騒音問題の発生を招くことなくトレッド面９の摩耗進行状況を判別することができる。
【００２２】
更に、トレッド面９の摩耗進行量に対応する量を表示する表示部１５，１６を設けることにより、点検作業者が摩耗量を容易に判別することができる。なお、この表示部１５，１６は、上記実施形態では、トレッド面９の摩耗の進行度合いを示したが、摩耗により減少した残りの使用可能な量などを表示すようにしてもよい。
【００２３】
本発明において、段差部１３，１４は、上述した実施形態のように、タイヤ周方向に沿って連続して延設するのが好ましいが、断続的に延在する構成であってもよい。
【００２４】
また、図３に示すように、段差部１３を凹部からなる段差部に形成し、凹部と凸部とかなる段差部１３，１４を混在させるようにしてもよく、更に凹部のみからなる段差部を設けるようにしてもよい。
【００２５】
また、図４に示すように階段状の段差部２０であってもよい。更に、図５に示すように摩耗進行位置を示す細い突起ａや、図６に示す摩耗進行位置を示す細溝ｂであってもよく、これらの突起ａや細溝ｂも本発明の段差部に含めるものとする。これらの段差部を適宜組み合わせるようにしてもよい。なお、突起ａや細溝ｂの場合には、その位置が一つの摩耗進行位置を示す。
【００２６】
また、トレッド面９の摩耗進行位置は、上述した実施形態のように、複数の段差部１３，１４を設け、複数の摩耗進行位置を示すようにするのが好ましいが、少なくとも段差部を１つ設け、１００％トレッド面９が摩耗した位置を示すように摩耗限界を示しただけでもよい。
【００２７】
本発明は、特にトレッド面９を溝がないスリック面にした、港湾施設や鉱山などで使用される産業車両に装着される産業車両用タイヤに好ましく用いることができるが、それに限定されず、トレッド面に溝を設けた産業車両用タイヤや、更に重荷重用や乗用車用などのタイヤにも適用することができる。
【図面の簡単な説明】
【００２８】
【図１】本発明の空気入りタイヤの一実施形態を示す半断面部分斜視図である。
【図２】サイド面に設けた表示部を示すトレッド部の拡大部分側面図である。
【図３】段差部の他の例を示すトレッド部の要部拡大断面図である。
【図４】段差部の更に他の例を示すトレッド部の要部拡大断面図である。
【図５】段差部の更に他の例を示すトレッド部の要部拡大断面図である。
【図６】段差部の更に他の例を示すトレッド部の要部拡大断面図である。
【符号の説明】
【００２９】
１  トレッド部
２  サイドウォール部
３  ビード部
９  トレッド面
１１  サイド面
１２  摩耗判別手段
１３  段差部
１３ａ，１３ｂ  端
１４  段差部
１４ａ  端
１５，１６  表示部
【図１】
2006062584.tif 000003
【図２】
2006062584.tif 000004
【図３】
2006062584.tif 000005
【図４】
2006062584.tif 000006
【図５】
2006062584.tif 000007
【図６】
2006062584.tif 000008